(57)【要約】【課題】工事現場における対象部に対する指導事項を指示するための指導書と、指導書に基づいて対象部を是正した結果を報告する報告書とを含む帳票を、より簡易に作成する。【解決手段】帳票作成方法は、是正前の対象部を撮影して得られた是正前映像データを携帯情報端末１１０で取得する是正前映像データ取得ステップＳ１と、携帯情報端末１１０に是正前情報を入力して、是正前情報を反映した指導書を作成し、かつ、是正前映像データを指導書に紐付けて記録する第１の帳票作成ステップＳ２と、是正後の対象部を撮影して得られた是正後映像データを携帯情報端末１１０で取得する是正後映像データ取得ステップＳ６と、携帯情報端末１１０に是正後情報を入力して、是正後情報を反映した報告書を指導書に紐付けて作成し、かつ、是正後映像データを報告書に紐付けて記録する第２の帳票作成ステップＳ７と、を備える。【選択図】図３
2020095399.tif 000002
【特許請求の範囲】
【請求項１】
工事現場における対象部に対する指導事項を含む是正前情報が記録された指導書と、是正後の前記対象部に対する是正事項を含む是正後情報が記録された報告書とを含む帳票を作成する帳票作成方法であって、
是正前の前記対象部を撮影して得られた是正前映像データを携帯情報端末で取得する是正前映像データ取得ステップと、
前記携帯情報端末に前記是正前情報を入力して、前記是正前情報を反映した前記指導書を作成し、かつ、前記是正前映像データを前記指導書に紐付けて記録する第１の帳票作成ステップと、
是正後の前記対象部を撮影して得られた是正後映像データを前記携帯情報端末で取得する是正後映像データ取得ステップと、
前記携帯情報端末に前記是正後情報を入力して、前記是正後情報を反映した前記報告書を前記指導書に紐付けて作成し、かつ、前記是正後映像データを前記報告書に紐付けて記録する第２の帳票作成ステップと、
を備えることを特徴とする帳票作成方法。
【請求項２】
前記是正前情報と前記是正後情報とは、共通する情報を含み、
前記共通する情報の少なくとも一部は、前記携帯情報端末により、共通して記録される箇所に自動的に反映されることを特徴とする請求項１に記載の帳票作成方法。
【請求項３】
前記是正前情報は、前記指導事項以外に、点検日、前記対象部を担当する部署名、点検者名、是正結果を報告すべき期限、前記是正前映像データの撮影日、前記対象部に関する作業の種類、是正前の前記対象部において生じ得る災害の種類および対象部についての指導事項の分類の少なくとも一つを含むことを特徴とする請求項１または請求項２に記載の帳票作成方法。
【請求項４】
前記是正後情報は、前記是正事項以外に、前記指導事項、点検日、前記対象部を担当する部署名、点検者名、是正結果を報告すべき期限、是正日、報告日、前記是正後映像データの撮影日の少なくとも一つ含むことを特徴とする請求項１から請求項３のいずれか一項に記載の帳票作成方法。
【請求項５】
前記是正前情報と前記是正後情報とで共通する情報は、前記指導事項、点検日、前記対象部を担当する部署名、点検者名および是正結果を報告すべき期限の少なくとも一つを含むことを特徴とする請求項２に記載の帳票作成方法。
【請求項６】
前記是正前情報の少なくとも一部は、前記携帯情報端末により、前記是正前映像データと共に記録されることを特徴とする請求項１から請求項５のいずれか一項に記載の帳票作成方法。
【請求項７】
前記是正後情報の少なくとも一部は、前記携帯情報端末により、前記是正後映像データと共に記録されることを特徴とする請求項１から請求項６のいずれか一項に記載の帳票作成方法。
【請求項８】
前記是正前映像データおよび前記是正後映像データは、静止画または動画であることを特徴とする請求項１から請求項７のいずれか一項に記載の帳票作成方法。
【請求項９】
前記是正前情報は、前記対象部の是正を行う必要のない軽微な指導事項を含み、
前記是正後映像データ取得ステップおよび前記第２の帳票作成ステップは、前記軽微な指導事項に対しては実行されないことを特徴とする請求項１から請求項８のいずれか一項に記載の帳票作成方法。
【請求項１０】
工事現場における対象部に対する指導事項を含む是正前情報が記録された指導書と、是正後の前記対象部に対する是正事項を含む是正後情報が記録された報告書とを含む帳票を作成する帳票作成システムであって、
是正前の前記対象部を撮影した是正前映像データおよび是正後の前記対象部を撮影した是正後映像データを取得し、前記是正前情報および前記是正後情報が入力される携帯情報端末を備え、
前記携帯情報端末は、入力された前記是正前情報を反映した前記指導書を作成し、かつ、取得した前記是正前映像データを前記指導書に紐付けて記録し、入力された前記是正後情報を反映した前記報告書を前記指導書に紐付けて作成し、かつ、取得した前記是正後映像データを前記報告書に紐付けて記録することを特徴とする帳票作成システム。
【発明の詳細な説明】
【技術分野】
【０００１】
本発明は、帳票作成方法および帳票作成システムに関する。
【背景技術】
【０００２】
従来、工事現場等における作業に関する指示書や報告書といった帳票を作成するための技術が知られている。例えば、特許文献１には、工事において検査情報が入力される携帯情報端末と、検査箇所を撮影するデジタルカメラと、検査情報と画像データから帳票を作成するプログラムを有するコンピュータとを備えた建設工事検査システムが開示されている。この建設工事検査システムでは、デジタルカメラにより撮影された画像データと、携帯情報端末に入力された検査情報とが時間軸によって関連づけられる。
【０００３】
また、特許文献２には、デジタルカメラで設備の状況を撮影し、撮影した画像データに対応してコメントを入力した写真集を参照しながら、設備システム、設備区分の診断結果を作成して、総合所見を作成する建築設備の改修診断報告システムが開示されている。
【０００４】
また、特許文献３には、入力部、記憶部および無線部を含むウェアラブルコンピュータと、設備機器部品の過去の状態を示す履歴データを有する作業管理サーバーとを備える現場支援システムが開示されている。この現場支援システムでは、ウェアラブルコンピュータが作業管理サーバーから履歴データを受信し、また、作業者が履歴データを参照しながら行った点検による部品の現状データを保存することで、現状データが履歴データに追加される。
【先行技術文献】
【特許文献】
【０００５】
【特許文献１】特開２００５−１７３６９８号公報
【特許文献２】特開平１１−１６１３２４号公報
【特許文献３】特開２００２−２８７８１５号公報
【発明の概要】
【発明が解決しようとする課題】
【０００６】
ところで、工事現場に含まれる対象部の点検（例えば安全点検）においては、対象部に対する指導事項を指示するための指導書と、指導書に基づいて対象部を是正した是正結果を報告するための報告書とが帳票として必要となる。このような対象部の点検作業に関する帳票には、指示事項や是正事項といった文章で記載されるものだけではなく、是正前後の対象部を撮影した映像データを添付する場合がある。そのため、指導書を作成する際には、点検者が是正前の対象部を撮影し、指示事項を含む情報を書き起こした後、パーソナルコンピュータで撮影した映像データを取り込み、書き起こした情報を指導書に入力するという作業が必要であった。報告書を作成する際にも、同様の手順が必要となる。したがって、帳票の作成に手間がかかっていた。
【０００７】
本発明は、上記に鑑みてなされたものであって、工事現場における対象部に対する指導事項を指示するための指導書と、指導書に基づいて対象部を是正した結果を報告する報告書とを含む帳票を、より簡易に作成することを目的とする。
【課題を解決するための手段】
【０００８】
上述した課題を解決し、目的を達成するために、本発明は、工事現場における対象部に対する指導事項を含む是正前情報が記録された指導書と、是正後の前記対象部に対する是正事項を含む是正後情報が記録された報告書とを含む帳票を作成する帳票作成方法であって、是正前の前記対象部を撮影して得られた是正前映像データを携帯情報端末で取得する是正前映像データ取得ステップと、前記携帯情報端末に前記是正前情報を入力して、前記是正前情報を反映した前記指導書を作成し、かつ、前記是正前映像データを前記指導書に紐付けて記録する第１の帳票作成ステップと、是正後の前記対象部を撮影して得られた是正後映像データを前記携帯情報端末で取得する是正後映像データ取得ステップと、前記携帯情報端末に前記是正後情報を入力して、前記是正後情報を反映した前記報告書を前記指導書に紐付けて作成し、かつ、前記是正後映像データを前記報告書に紐付けて記録する第２の帳票作成ステップと、を備えることを特徴とする。
【０００９】
また、前記是正前情報と前記是正後情報とは、共通する情報を含み、前記共通する情報の少なくとも一部は、前記携帯情報端末により、共通して記録される箇所に自動的に反映されることが好ましい。
【００１０】
また、前記是正前情報は、前記指導事項以外に、点検日、前記対象部を担当する部署名、点検者名、是正結果を報告すべき期限、前記是正前映像データの撮影日、前記対象部に関する作業の種類、是正前の前記対象部において生じ得る災害の種類および対象部についての指導事項の分類の少なくとも一つを含むことが好ましい。
【００１１】
また、前記是正後情報は、前記是正事項以外に、前記指導事項、点検日、前記対象部を担当する部署名、点検者名、前記是正事項、是正結果を報告すべき期限、是正日、報告日、前記是正後映像データの撮影日の少なくとも一つ含むことが好ましい。
【００１２】
また、前記是正前情報と前記是正後情報とで共通する情報は、前記指導事項、点検日、前記対象部を担当する部署名、点検者名および是正結果を報告すべき期限の少なくとも一つを含むことが好ましい。
【００１３】
また、前記是正前情報の少なくとも一部は、前記携帯情報端末により、前記是正前映像データと共に記録されることが好ましい。
【００１４】
また、前記是正後情報の少なくとも一部は、前記携帯情報端末により、前記是正後映像データと共に記録されることが好ましい。
【００１５】
また、前記是正前映像データおよび前記是正後映像データは、静止画または動画であることが好ましい。
【００１６】
また、前記是正前情報は、前記対象部の是正を行う必要のない軽微な指導事項を含み、前記是正後映像データ取得ステップおよび前記第２の帳票作成ステップは、前記軽微な指導事項に対しては実行されないことが好ましい。
【００１７】
上述した課題を解決し、目的を達成するために、本発明は、工事現場における対象部に対する指導事項を含む是正前情報が記録された指導書と、是正後の前記対象部に対する是正事項を含む是正後情報が記録された報告書とを含む帳票を作成する帳票作成システムであって、是正前の前記対象部を撮影した是正前映像データおよび是正後の前記対象部を撮影した是正後映像データを取得し、前記是正前情報および前記是正後情報が入力される携帯情報端末を備え、前記携帯情報端末は、入力された前記是正前情報を反映した前記指導書を作成し、かつ、取得した前記是正前映像データを前記指導書に紐付けて記録し、入力された前記是正後情報を反映した前記報告書を前記指導書に紐付けて作成し、かつ、取得した前記是正後映像データを前記報告書に紐付けて記録することを特徴とする。
【発明の効果】
【００１８】
本発明にかかる帳票作成方法および帳票作成システムは、工事現場における対象部に対する指導事項を指示するための指導書と、指導書に基づいて対象部を是正した結果を報告する報告書とを含む帳票を、より簡易に作成することができる、という効果を奏する。
【図面の簡単な説明】
【００１９】
【図１】図１は、実施形態にかかる帳票作成システムの一例を示すブロック図である。
【図２】図２は、実施形態にかかる帳票作成方法の手順の一例を示すフローチャートである。
【図３】図３は、実施形態にかかる帳票作成方法の手順の一例を示す説明図である。
【図４】図４は、指導書の一例を示す説明図である。
【図５】図５は、報告書の一例を示す説明図である。
【図６】図６は、是正前後の対象部を撮影した映像データが記録された写真台紙の一例を示す説明図である。
【図７】図７は、是正前の対象部を撮影した捕捉映像データが記録された補足写真台紙の一例を示す説明図である。
【図８】図８は、是正後の対象部を撮影した捕捉映像データが記録された補足写真台紙の一例を示す説明図である。
【図９】図９は、実施形態にかかる帳票作成システムの他の例を示すブロック図である。
【発明を実施するための形態】
【００２０】
以下に、本発明にかかる帳票作成方法および帳票作成システムの実施形態を図面に基づいて詳細に説明する。なお、この実施形態によりこの発明が限定されるものではない。
【００２１】
図１は、実施形態にかかる帳票作成システムの一例を示すブロック図であり、図２は、実施形態にかかる帳票作成方法の手順の一例を示すフローチャートであり、図３は、実施形態にかかる帳票作成方法の手順の一例を示す説明図である。実施形態にかかる帳票作成方法および帳票作成システム１００は、工事現場における対象部１（例えば図６から図８参照）に対する指導事項を含む是正前情報が記録された指導書１１（図４参照）と、是正後の対象部１に対する是正事項を含む是正後情報が記録された報告書１２（図５参照）とを含む帳票１０を作成するためのものである。
【００２２】
まず、実施形態にかかる帳票作成システム１００および帳票作成方法で作成される帳票１０について、図４から図８を参照しながら説明する。図４は、指導書の一例を示す説明図であり、図５は、報告書の一例を示す説明図であり、図６は、是正前後の対象部を撮影した映像データが記録された写真台紙の一例を示す説明図であり、図７は、是正前の対象部を撮影した捕捉映像データが記録された補足写真台紙の一例を示す説明図であり、図８は、是正後の対象部を撮影した捕捉映像データが記録された補足写真台紙の一例を示す説明図である。
【００２３】
本実施形態において、帳票１０は、指導書１１と、報告書１２と、写真台紙１３と、捕捉写真台紙１４、１５とを含む。本実施形態において、指導書１１、報告書１２、写真台紙１３および捕捉写真台紙１４は、帳票１０として１つのデータファイルに格納される。したがって、指導書１１、報告書１２、写真台紙１３および捕捉写真台紙１４、１５は、互いに紐付けされて記録されたものであるといえる。
【００２４】
指導書１１は、工事現場における対象部１に対する指導事項を含む是正前情報が記録された書類である。指導書１１に記載される是正前情報は、図４に示すように、（Ａ）指導事項、（Ｂ）点検日、（Ｃ）対象部１を担当する部署名（作業書名）、（Ｄ）点検者名（点検者）、（Ｅ）是正結果を報告すべき期限（報告期限）を含む。なお、図４から図８において、（Ａ）〜（Ｍ）は、対応する情報の項目を説明するために記載したものであり、実際に帳票１０に記載されるものではない。また、表１１Ａの表１１Ａの「Ｎｏ．」の欄に記載された数字は、指導事項の管理番号であり、対象部１ごとに割り当てられる。
【００２５】
（Ａ）指導事項は、指導事項の管理番号ごと、すなわち対象部１ごとに、是正すべき内容を示すものであり、表１１Ａの「指示または指導事項」の欄に記録される。図４に示す例では、指導事項の管理番号がＮｏ．１のものにおいて、“整理整頓をお願いします”と記録されている。（Ｂ）点検日は、対象部１について点検を行った日付であり、「点検日」の欄に記録される。（Ｃ）対象部１を担当する部署名は、「作業書名」の欄に記録される。（Ｄ）点検者名は、対象部１を点検した点検者の所属部署および名前を示すものであり、表１１Ｂに記録される。（Ｅ）是正結果を報告すべき期限は、指導書１１に記載された指導事項について、是正を行って報告を行うまでの期限であり、「報告期限」の欄に記録される。
【００２６】
報告書１２は、是正後の対象部１に対する是正事項を含む是正後情報が記録された書類である。報告書１２に記録される是正後情報は、図５に示すように、（Ａ）指導事項、（Ｂ）点検日、（Ｃ）対象部１を担当する部署名（作業書名）、（Ｄ）点検者名（点検者）、（Ｅ）是正結果を報告すべき期限（報告期限）、（Ｆ）是正事項（根本原因および是正処置）、（Ｇ）是正日（月日）、（Ｈ）報告日を含む。
【００２７】
是正後情報の（Ａ）〜（Ｅ）については、指導書１１に記録された是正前情報の（Ａ）〜（Ｅ）と同様の情報である。すなわち、是正前情報と是正後情報とは、共通する情報（Ａ）〜（Ｅ）を含んでいる。（Ｆ）是正事項は、指導事項に基づいて、対応する管理番号の対象部１についての是正内容を示すものであり、表１２Ａの「根本原因および是正処置」の欄に記載される。図５に示す例では、表１２Ａの「原因」の欄に、指導事項が発生した原因として、“認識不足でした”と記録されている。また、図５に示す例では、表１２Ａの「処置」の欄に、具体的な是正の処理内容として、“整理整頓しました”と記録されている。（Ｇ）是正日は、対応する管理番号の対象部１について是正を行った日付であり、表１２Ａの「月日」の欄に記録される。（Ｈ）報告日は、報告書１２を作成した日であり、「報告日」の欄に記録される。
【００２８】
写真台紙１３は、図６に示すように、是正前の対象部１を撮影した是正前映像データＶ１０と、是正後の対象部１を撮影した是正後映像データＶ２０とが記録された書類である。是正前映像データＶ１０は、対象部１の点検時において点検者によって撮影される。是正後映像データＶ２０は、対象部１の是正後において点検者によって撮影される。是正前映像データＶ１０および是正後映像データＶ２０は、静止画であってもよく、動画であってもよい。また、是正前映像データＶ１０および是正後映像データＶ２０は、後述する捕捉写真台紙１４、１５（図７、８参照）に示されるように、複数撮影されてもよい。写真台紙１３は、是正前映像データＶ１０を記録するための表１３Ａと、是正後映像データＶ２０を記録するための表１３Ｂとで構成されている。是正前映像データＶ１０は、表１３Ａの「是正前の写真」の欄に記録され、是正後映像データＶ２０は、表１３Ｂの「是正後の写真」の欄に記録される。
【００２９】
また、写真台紙１３は、是正前情報および是正後情報の一部が、是正前映像データＶ１０および是正後映像データＶ２０と共に記録されている。具体的には、表１３Ａに、対象部１の是正前情報として、（Ａ）指導事項、（Ｃ）対象部１を担当する部署名（作業所名）が記録される。さらに、表１３Ａには、対象部１の是正前情報として、（Ｉ）是正前映像データの撮影日、（Ｊ）対象部１に関する作業の種類、（Ｋ）是正前の対象部１において生じ得る災害の種類、（Ｌ）点検ポイントが記録される。なお、写真台紙１３には、その他の是正前情報として、対象部１の種別が「種別」の欄に記録される。
【００３０】
（Ｉ）是正前映像データの撮影日は、是正前映像データＶ１０を撮影した日付であり、表１３Ａの「撮影日」の欄に記録される。（Ｊ）対象部１に関する作業の種類は、「作業の種類」の「大分類」、「中分類」の欄にそれぞれ情報が記録される。図６では、具体的な例示を省略するが、「大分類」には、例えば“仮設工事”、「中分類」の欄には、例えば「構台組立・解体」といったような、工事において対象部１が属する工程の種類を示す情報を記録することができる。（Ｋ）是正前の対象部１において生じ得る災害の種類は、是正前の対象部１を、その状態で放置しておくことで、工事現場において生じる可能性がある災害を示すものであり、「災害の種類」の「大分類」、「中分類」の欄にそれぞれ情報が記録される。図６では、具体的な例示を省略するが、「大分類」の欄には、例えば“転倒”といった災害の具体的な内容、「中分類」の欄には、例えば“床、地面、屋根、階段”など災害が起こり得る場所の内容を記録することができる。（Ｌ）点検ポイントは、対象部１についての指導事項の分類を示すものであり、「点検ポイント」欄に、例えば“整理整頓”と記録される。
【００３１】
また、表１３Ｂには、対象部１の是正後情報として、（Ｃ）対象部１を担当する部署名（作業所名）、（Ｆ）是正事項（原因、処置）が記録される。また、表１３Ｂには、対象部１の是正後情報として、（Ｍ）是正後映像データＶ２０の撮影日が記録される。（Ｍ）是正後映像データＶ２０の撮影日は、是正後映像データＶ２０を撮影した日付であり、表１３Ｂの「撮影日」の欄に記録される。
【００３２】
捕捉写真台紙１４は、図７に示すように、是正前の対象部１を撮影した捕捉の是正前映像データが記録された書類である。図示するように、管理番号に対応して、図６に示すものとは別の角度から対象部１を撮影した是正前映像データＶ１１、Ｖ１２、Ｖ１３が、「是正前の写真（捕捉）」の欄に記録される。また、捕捉写真台紙１５は、図８に示すように、是正後の対象部１を撮影した捕捉の是正後映像データが記録された書類である。図示するように、管理番号に対応して、図６に示すものとは別の角度から対象部１を撮影した是正後映像データＶ２１、Ｖ２２、Ｖ２３が、「是正後の写真（捕捉）」の欄に記録される。なお、捕捉写真台紙１４、１５には、図７および図８に示すように、（Ｃ）対象部１を担当する部署名（作業所名）も記録される。
【００３３】
次に、上述した帳票１０を作成する帳票作成システム１００の構成について説明する。帳票作成システム１００は、図１に示すように、携帯情報端末１１０と、パーソナルコンピュータ１２０と、データサーバー１３０とを備える。
【００３４】
携帯情報端末１１０は、携帯可能な情報処理装置であり、例えば、タブレット端末やスマートフォン等を用いることができる。携帯情報端末１１０は、例えばタッチパネル式の操作により、ユーザーにより各機能を操作することができる。また、携帯情報端末１１０は、例えば音声入力により、文字を入力するといった機能を有するものであってもよい。携帯情報端末１１０は、撮影装置１１０Ａと、帳票編集・閲覧部１１０Ｂと、通信部１１０Ｃと、記憶部１１０Ｄとを有する。
【００３５】
撮影装置１１０Ａは、携帯情報端末１１０に設けられたデジタルカメラである。本実施形態において、撮影装置１１０Ａは、静止画または動画を撮影することができる。撮影装置１１０Ａは、撮影した静止画または動画の是正前映像データＶ１０（Ｖ１１、Ｖ１２、Ｖ１３）および是正後映像データＶ２０（Ｖ２１、Ｖ２２、Ｖ２３）を記憶部１１０Ｄに出力する。なお、撮影装置１１０Ａは、是正前映像データＶ１０（Ｖ１１、Ｖ１２、Ｖ１３）および是正後映像データＶ２０（Ｖ２１、Ｖ２２、Ｖ２３）を帳票編集・閲覧部１１０Ｂに出力してもよい。
【００３６】
帳票編集・閲覧部１１０Ｂは、ユーザーの操作に応じて帳票１０の編集および閲覧を行う機能部である。上述した帳票１０は、フォーマットが予め携帯情報端末１１０の記憶部１１０Ｄに記憶されている。帳票編集・閲覧部１１０Ｂは、ユーザーの操作にしたがって、記憶部１１０Ｄから帳票１０のフォーマットを読み込み、携帯情報端末１１０の表示部に表示させる。
【００３７】
また、帳票編集・閲覧部１１０Ｂは、ユーザーの操作にしたがって、帳票１０の編集処理を実行する。具体的には、指導書１１が表示されている状態で、ユーザーが対応する欄に是正前情報（Ａ）〜（Ｅ）を入力すると、是正前情報（Ａ）〜（Ｅ）の具体的な内容が指導書１１に記録される。このとき、帳票編集・閲覧部１１０Ｂは、入力された是正前情報（Ａ）〜（Ｅ）のうち、報告書１２、写真台紙１３および捕捉写真台紙１４、１５において共通して記録されるべき情報を自動的に反映させる。すなわち、報告書１２に、（Ａ）指導事項、（Ｂ）点検日、（Ｃ）対象部１を担当する部署名、（Ｄ）点検者名、（Ｅ）是正結果を報告すべき期限が記録される。また、写真台紙１３に、（Ａ）指導事項、（Ｃ）対象部１を担当する部署名が記録される。なお、（Ｉ）是正前映像データの撮影日と、（Ｂ）点検日とは、基本的に同じ日付である可能性が高いため、（Ｂ）点検日を（Ｉ）是正前映像データの撮影日に自動的に反映させてもよい。また、捕捉写真台紙１４、１５に、（Ｃ）対象部１を担当する部署名が記録される。
【００３８】
また、報告書１２が表示されている状態で、ユーザーが対応する欄に是正後情報（Ｆ）〜（Ｈ）を入力すると、是正後情報（Ｆ）〜（Ｈ）の具体的な内容が報告書１２に記録される。このとき、帳票編集・閲覧部１１０Ｂは、（Ｆ）是正事項を写真台紙１３に反映させる。それにより、写真台紙１３に、（Ｆ）是正事項が記録される。なお、（Ｍ）是正後映像データの撮影日と、（Ｇ）是正日とは、基本的に同じ日付である可能性が高いため、（Ｇ）是正日を（Ｍ）是正後映像データの撮影日に自動的に反映させてもよい。
【００３９】
また、写真台紙１３が表示されている状態で、ユーザーが対応する欄に是正前情報（Ｉ）〜（Ｌ）を入力すると、是正前情報（Ｉ）〜（Ｌ）の具体的な内容が表１３Ａに記録される。また、写真台紙１３が表示されている状態で、ユーザーが対応する欄に是正後情報（Ｍ）を入力すると、是正前情報（Ｍ）の具体的な内容が表１３Ｂに記録される。
【００４０】
また、帳票編集・閲覧部１１０Ｂは、写真台紙１３が表示されている状態で、ユーザーの操作にしたがって、「是正前の写真」の欄に是正前映像データＶ１０、「是正後の写真」の欄に是正後映像データＶ２０を記録する。是正前映像データＶ１０および是正後映像データＶ２０の記録は、予め撮影装置１１０Ａで撮影されて記憶部１１０Ｄに記憶されたデータを取得すればよい。また、是正前映像データＶ１０および是正後映像データＶ２０の記録は、ユーザーが「是正前の写真」または「是正前の写真」の欄を操作したタイミングで、撮影装置１１０Ａを起動させ、対象部１の映像を撮影したデータを取得するものであってもよい。同様の処理により、帳票編集・閲覧部１１０Ｂは、捕捉写真台紙１４、１５が表示されている状態で、ユーザーの操作にしたがって、「是正前の写真」の欄に是正前映像データＶ１１、Ｖ１２、Ｖ１３、「是正後の写真」の欄に是正後映像データＶ２１、Ｖ２２、Ｖ２３を記録する。
【００４１】
これにより、各書類に必要な事項を記録した帳票１０を作成することができる。そして、帳票編集・閲覧部１１０Ｂは、ユーザーの操作にしたがって、作成した帳票１０を記憶部１１０Ｄに記憶させる。
【００４２】
通信部１１０Ｃは、データサーバー１３０と通信して各種データのやり取りを行うことができるように構成されている。通信部１１０Ｃは、ユーザーの操作にしたがって、記憶部１１０Ｄに記憶された帳票１０をデータサーバー１３０へと送信する。また、通信部１１０Ｃは、ユーザーの操作にしたがって、データサーバー１３０に記憶された帳票１０を取得する。取得された帳票１０のデータは、記憶部１１０Ｄに記憶される。
【００４３】
記憶部１１０Ｄは、プログラム及びデータを記憶する。記憶部１１０Ｄは、帳票１０のフォーマットを記憶している。また、記憶部１１０Ｄは、帳票編集・閲覧部１１０Ｂで編集された帳票１０のデータおよび撮影装置１１０Ａで撮影された是正前映像データＶ１０（Ｖ１１、Ｖ１２、Ｖ１３）および是正後映像データＶ２０（Ｖ２１、Ｖ２２、Ｖ２３）を記憶する。なお、記憶部１１０Ｄは、携帯情報端末１１０に搭載される記憶媒体のみならず、例えばメモリーカードのような携帯情報端末１１０に外部接続できる記憶媒体であってもよい。
【００４４】
パーソナルコンピュータ１２０は、通信部１２０Ａと、記憶部１２０Ｂと、帳票編集・閲覧部１２０Ｃとを有する。パーソナルコンピュータ１２０は、例えば事務所といった対象部１から離れた場所で使用されるものである。また、パーソナルコンピュータ１２０は、プリンター１４０に接続されており、帳票１０のデータをプリンター１４０に送信し、印刷させることができる。なお、パーソナルコンピュータ１２０は、通信部１２０Ａと、記憶部１２０Ｂと、帳票編集・閲覧部１２０Ｃとを有する情報処理端末であればよい。
【００４５】
通信部１２０Ａは、データサーバー１３０と通信して各種データのやり取りを行うことができるように構成されている。通信部１２０Ａは、ユーザーの操作にしたがって、データサーバー１３０から、携帯情報端末１１０で作成された帳票１０を取得する。取得された帳票１０のデータは、記憶部１２０Ｂに記憶される。また、通信部１２０Ａは、記憶部１２０Ｂに記憶された帳票１０をデータサーバー１３０へと送信する。
【００４６】
記憶部１２０Ｂは、プログラム及びデータを記憶する。記憶部１２０Ｂは、帳票編集・閲覧部１２０Ｃで編集された帳票１０のデータを記憶する。また、記憶部１２０Ｂは、帳票１０のフォーマットを記憶していてもよい。なお、記憶部１２０Ｂは、パーソナルコンピュータ１２０に搭載される記憶媒体のみならず、例えばメモリーカードや外付けハードディスクのようなパーソナルコンピュータ１２０に外部接続できる記憶媒体であってもよい。
【００４７】
帳票編集・閲覧部１２０Ｃは、携帯情報端末１１０の帳票編集・閲覧部１１０Ｂで作成された帳票１０を編集および閲覧できる機能部である。帳票編集・閲覧部１２０Ｃは、帳票編集・閲覧部１１０Ｂと同様の機能を有するものであってもよい。帳票編集・閲覧部１２０Ｃは、帳票１０について、例えば誤記を修正したり、体裁を調整したりする目的で使用される。
【００４８】
また、本実施形態では、携帯情報端末１１０において是正前情報および是正後情報を帳票１０に入力するものとしたが、是正前情報および是正後情報の一部は、パーソナルコンピュータ１２０の帳票編集・閲覧部１２０Ｃにおいて入力されてもよい。例えば、（Ｊ）対象部１に関する作業の種類、（Ｋ）是正前の対象部１において生じ得る災害の種類、（Ｌ）点検ポイント等は、内容を確認したり検討が必要であったりして、現場で入力することが難しい可能性がある。そのように現場で入力することが難しい情報は、パーソナルコンピュータ１２０がある事務所での作業として行うことが好ましい。
【００４９】
また、複数の角度から対象部１を撮影した是正前映像データＶ１０、Ｖ１１、Ｖ１２、Ｖ１３および是正後映像データＶ２０、Ｖ２１、Ｖ２２、Ｖ２３のうち、いずれを写真台紙１３に記録し、いずれを捕捉写真台紙１４に記録するかについても、現場で判断することが難しい可能性もある。そのため、是正前映像データＶ１０、Ｖ１１、Ｖ１２、Ｖ１３および是正後映像データＶ２０、Ｖ２１、Ｖ２２、Ｖ２３をいずれの台紙に記録するかを、パーソナルコンピュータ１２０がある事務所での編集により変更してもよい。
【００５０】
さらに、対象部１について、点検後に、是正が必要でないと判断される可能性もある。すなわち、指導事項が軽微なものであったり、指導事項そのものが誤って記録されたりした場合である。このような場合には、パーソナルコンピュータ１２０がある事務所での編集により、不要な指導事項に関連する情報を帳票１０から削除してもよい。
【００５１】
データサーバー１３０は、携帯情報端末１１０およびパーソナルコンピュータ１２０と通信する。データサーバー１３０は、上述したように、帳票１０のデータを記憶する。なお、データサーバー１３０に代えて、携帯情報端末１１０およびパーソナルコンピュータ１２０からアクセス可能なクラウドストレージを用いてもよい。その場合、携帯情報端末１１０およびパーソナルコンピュータ１２０は、クラウドストレージにアクセスし、クラウドストレージ上で帳票１０を編集するものであってもよい。
【００５２】
次に、実施形態にかかる帳票作成方法について、図２および図３を参照しながら説明する。実施形態にかかる帳票作成方法は、是正前映像データ取得ステップＳ１と、第１の帳票作成ステップＳ２と、送信ステップＳ３と、編集ステップＳ４と、取得ステップＳ５と、是正後映像データ取得ステップＳ６と、第２の帳票作成ステップＳ７と、送信ステップＳ８と、編集ステップＳ９とを備える。
【００５３】
作業者（点検者）は、まず、是正前映像データ取得ステップＳ１として、是正前の対象部１を撮影して得られた是正前映像データＶ１０（Ｖ１１、Ｖ１２、Ｖ１３）を携帯情報端末１１０で取得する。具体的には、作業者は、携帯情報端末１１０の撮影装置１１０Ａで、是正前の対象部１を複数の角度から撮影する。それにより、撮影された是正前映像データＶ１０（Ｖ１１、Ｖ１２、Ｖ１３）が記憶部１１０Ｄに記憶される。なお、上述したように、帳票編集・閲覧部１１０Ｂにおいて、ユーザーが「是正前の写真」の欄を操作したタイミングで、撮影装置１１０Ａを起動させ、対象部１の映像を撮影した是正前映像データＶ１０（Ｖ１１、Ｖ１２、Ｖ１３）を取得するものであってもよい。
【００５４】
次に、作業者は、第１の帳票作成ステップＳ２として、携帯情報端末１１０に是正前情報を入力して、是正前情報を反映した指導書１１を作成し、かつ、是正前映像データＶ１０（Ｖ１１、Ｖ１２、Ｖ１３）を指導書１１に紐付けて写真台紙１３に記録する。具体的には、作業者は、携帯情報端末１１０の帳票編集・閲覧部１１０Ｂにより、指導書１１の対応する欄に是正前情報（Ａ）〜（Ｅ）を入力する。それにより、図４に示す指導書１１が作成される。このとき、上述したように、携帯情報端末１１０によって、入力された是正前情報（Ａ）〜（Ｅ）のうち、報告書１２、写真台紙１３および捕捉写真台紙１４、１５において共通して記録されるべき情報が自動的に反映される。すなわち、報告書１２に、（Ａ）指導事項、（Ｂ）点検日、（Ｃ）対象部１を担当する部署名、（Ｄ）点検者名、（Ｅ）是正結果を報告すべき期限が記録される。また、写真台紙１３に、（Ａ）指導事項、（Ｃ）対象部１を担当する部署名が記録され、捕捉写真台紙１４、１５に、（Ｃ）対象部１を担当する部署名が記録される。
【００５５】
また、作業者は、写真台紙１３に、記憶部１１０Ｄに記憶された是正前映像データＶ１０を入力すると共に、捕捉写真台紙１４に、記憶部１１０Ｄに記憶された是正前映像データＶ１１、Ｖ１２、Ｖ１３を入力する。さらに、作業者は、写真台紙１３の対応した欄に、是正前情報（Ｉ）〜（Ｌ）を入力する。それにより、写真台紙１３の表１３Ａに、（Ｉ）是正前映像データの撮影日、（Ｊ）対象部１に関する作業の種類、（Ｋ）是正前の対象部１において生じ得る災害の種類、（Ｌ）点検ポイントが、是正前映像データＶ１と共に記録される。
【００５６】
次に、作業者は、送信ステップＳ３として、ステップＳ２で作成した帳票１０のデータを、携帯情報端末１１０からデータサーバー１３０へと送信する。データサーバー１３０は、受信した帳票１０のデータを記憶する。
【００５７】
次に、作業者は、編集ステップＳ４として、パーソナルコンピュータ１２０により、データサーバー１３０に記憶された帳票１０のデータを取得し、必要に応じて帳票１０の編集を実行する。すなわち、作業者は、帳票編集・閲覧部１２０Ｃによって、例えば帳票１０の誤記を修正したり体裁を調整したりする。また、是正前情報の一部がステップＳ２において入力されていなかった場合、作業者は、ステップＳ４において是正前情報の一部を追加してもよい。また、作業者は、是正前映像データＶ１０、Ｖ１１、Ｖ１２、Ｖ１３をいずれの台紙に記録するかを、パーソナルコンピュータ１２０がある事務所での編集により変更してもよい。作業者は、編集した帳票１０をプリンター１４０で印刷する。また、作業者は、編集した帳票１０をデータサーバー１３０へと送信する。なお、必要に応じた帳票１０の編集は、携帯情報端末１１０を用いて実行してもよく、編集した帳票１０のデータサーバー１３０への送信も携帯情報端末１１０から実行してもよい。また、プリンター１４０による帳票１０の印刷も、携帯情報端末１１０から指示してもよい。つまり、ステップＳ４の処理は、パーソナルコンピュータ１２０を用いることなく、携帯情報端末１１０で行ってもよい。
【００５８】
ステップＳ１からステップＳ４の処理により、対象部１について是正すべき指導事項が記録された指導書１１が作成される。また、写真台紙１３の一部（表１３Ａ）および捕捉写真台紙１４が作成される。それにより、指導事項にしたがって、対象部１の是正が行われる。作業者は、是正が行われた後、是正が完了したことを報告するため、帳票１０の残りの部分、すなわち報告書１２、写真台紙１３の一部（表１３Ｂ）および捕捉写真台紙１５を作成するため、ステップＳ５以降の作業を実行する。
【００５９】
作業者は、取得ステップＳ５として、携帯情報端末１１０により、データサーバー１３０から帳票１０のデータを取得する。すなわち、ステップＳ４においてパーソナルコンピュータ１２０で編集された帳票１０のデータを取得する。なお、ステップＳ４において帳票１０が編集されていない場合には、ステップＳ５の処理は省略されてもよい。
【００６０】
次に、作業者は、是正後映像データ取得ステップＳ６として、是正後の対象部１を撮影して得られた是正後映像データＶ２０（Ｖ２１、Ｖ２２、Ｖ２３）を携帯情報端末１１０で取得する。具体的には、作業者は、携帯情報端末１１０の撮影装置１１０Ａで、是正後の対象部１を複数の角度から撮影する。それにより、撮影された是正後映像データＶ２０（Ｖ２１、Ｖ２２、Ｖ２３）が記憶部１１０Ｄに記憶される。なお、上述したように、帳票編集・閲覧部１１０Ｂにおいて、ユーザーが「是正後の写真」の欄を操作したタイミングで、撮影装置１１０Ａを起動させ、対象部１の映像を撮影した是正後映像データＶ２０（Ｖ２１、Ｖ２２、Ｖ２３）を取得するものであってもよい。
【００６１】
次に、作業者は、第２の帳票作成ステップＳ７として、携帯情報端末１１０に是正後情報を入力して、是正後情報を反映した報告書１２を作成し、かつ、是正後映像データＶ２０（Ｖ２１、Ｖ２２、Ｖ２３）を報告書１２に紐付けて写真台紙１３に記録する。具体的には、作業者は、携帯情報端末１１０の帳票編集・閲覧部１１０Ｂにより、報告書１２の対応する欄に是正後情報（Ｆ）〜（Ｈ）を入力する。本実施形態では、ステップＳ２において、是正前情報と共通する是正後情報（Ａ）〜（Ｅ）が、すでに報告書１２に反映されている。そのため、ステップＳ７では、（Ｆ）是正事項、（Ｇ）是正日、（Ｈ）報告日を報告書１２に入力すればよい。このとき、携帯情報端末１１０によって、入力された（Ｆ）是正事項が写真台紙１３に記録される。
【００６２】
また、作業者は、写真台紙１３に、記憶部１１０Ｄに記憶された是正後映像データＶ２０を入力すると共に、捕捉写真台紙１５に、記憶部１１０Ｄに記憶された是正後映像データＶ２１、Ｖ２２、Ｖ２３を入力する。これにより、報告書１２、写真台紙１３の表１３Ｂおよび捕捉写真台紙１５が作成される。
【００６３】
次に、作業者は、送信ステップＳ８として、ステップＳ７で作成した帳票１０のデータを、携帯情報端末１１０からデータサーバー１３０へと送信する。データサーバー１３０は、受信した帳票１０のデータを記憶する。
【００６４】
次に、作業者は、編集ステップＳ９として、パーソナルコンピュータ１２０により、データサーバー１３０に記憶された帳票１０のデータを取得し、必要に応じて帳票１０の編集を実行する。すなわち、作業者は、帳票編集・閲覧部１２０Ｃによって、例えば帳票１０の誤記を修正したり体裁を調整したりする。また、是正後情報の一部がステップＳ７において入力されていなかった場合、作業者は、ステップＳ９において是正後情報の一部を追加してもよい。また、作業者は、是正後映像データＶ２０、Ｖ２１、Ｖ２２、Ｖ２３をいずれの台紙に記録するかを、パーソナルコンピュータ１２０がある事務所での編集により変更してもよい。さらに、作業者は、不要な指導事項に関連する情報を帳票１０から削除してもよい。作業者は、編集した帳票１０をプリンター１４０で印刷する。また、作業者は、編集した帳票１０を必要に応じてデータサーバー１３０へと送信する。なお、必要に応じた帳票１０の編集は、携帯情報端末１１０を用いて実行してもよく、編集した帳票１０のデータサーバー１３０への送信も携帯情報端末１１０から実行してもよい。また、プリンター１４０による帳票１０の印刷も、携帯情報端末１１０から指示してもよい。つまり、ステップＳ９の処理は、パーソナルコンピュータ１２０を用いることなく、携帯情報端末１１０で行ってもよい。
【００６５】
なお、指導事項が軽微なものであったり、指導事項そのものが誤って記録されたりした場合には、対象部１に対する是正を行う必要がない。したがって、この場合には、該当する不要な指導事項に関しては、ステップＳ６からステップＳ９の処理は実行されない。なお、指導事項が軽微なものである場合でも、指導書１１に情報を残しておいてもよい。その場合、是正が必要な指導事項であるか否かを区別するため、是正が必要な指導事項に関しては、予め指導書１１において管理番号に丸印を添付しておくなどの情報を記録しておけばよい。
【００６６】
以上説明したように、実施形態にかかる帳票作成方法および帳票作成システム１００では、対象部１の指導事項を含む是正前情報を携帯情報端末１１０に入力すれば、是正前情報が反映された指導書１１が作成され、かつ、携帯情報端末１１０が取得した対象部１の是正前映像データＶ１０が指導書１１に紐付けて記録される。同様に、対象部１の是正事項を含む是正後情報を携帯情報端末１１０に入力すれば、是正後情報が反映された報告書１２が作成され、かつ、携帯情報端末１１０が取得した対象部１の是正後映像データＶ２０が指導書に紐付けて記録される。すなわち、是正前後の対象部１を撮影した映像データをパーソナルコンピュータ１２０に取り込む作業や、書き起こした是正の指示事項、是正事項をパーソナルコンピュータ１２０で入力する作業が必要なくなる。したがって、実施形態にかかる帳票作成方法および帳票作成システム１００によれば、工事現場における対象部１に対する指導事項を指示するための指導書１１と、指導書１１に基づいて対象部１を是正した結果を報告する報告書１２とを含む帳票１０を、より簡易に作成することが可能となる。
【００６７】
また、是正前情報と是正後情報とは、共通する情報を含み、共通する情報は、携帯情報端末１１０により、共通して記録される箇所に自動的に反映される。
【００６８】
この構成により、携帯情報端末１１０に是正前情報を入力すれば、是正後情報と共通する情報が、共通して記録される箇所に反映されるため、この情報を改めて入力する必要がなくなる。したがって、帳票１０を作成する手間を、さらに削減することができる。なお、共通する情報の少なくとも一部のみを、共通して記録される箇所に反映させるものとしてもよいし、共通する情報についても、すべて個別に入力するものとしてもよい。
【００６９】
また、是正前情報は、（Ａ）指導事項以外に、（Ｂ）点検日、（Ｃ）対象部１を担当する部署名、（Ｄ）点検者名、（Ｅ）是正結果を報告すべき期限、（Ｉ）是正前映像データの撮影日、（Ｊ）対象部１に関する作業の種類、（Ｋ）是正前の対象部１において生じ得る災害の種類および（Ｌ）対象部１についての指導事項の分類（点検ポイント）を含む。
【００７０】
この構成により、適切な是正前情報を指導書１１に記録することが可能となる。それにより、例えば、（Ｂ）点検日、（Ｃ）対象部１を担当する部署名、（Ｄ）点検者名、（Ｅ）是正結果を報告すべき期限のいずれかを用いて、帳票１０（指導書１１）のデータをソートして管理することが可能になる。また、（Ｊ）対象部１に関する作業の種類、（Ｋ）是正前の対象部１において生じ得る災害の種類により、対象部１を是正する必要性をユーザーにわかりやすく提示することが可能となる。また、（Ｌ）対象部１についての指導事項の分類（点検ポイント）により、是正すべき内容をユーザーにわかりやすく提示することが可能となる。なお、本実施形態では、是正前情報（Ｉ）〜（Ｌ）を写真台紙１３に記録するものとしたが、是正前情報（Ｉ）〜（Ｌ）も指導書１１に記録してもよい。また、是正前情報（Ｂ）〜（Ｅ）、（Ｉ）〜（Ｌ）は、少なくとも一つが指導書１１に記録されればよい。
【００７１】
また、是正後情報は、（Ｆ）是正事項以外に、（Ａ）指導事項、（Ｂ）点検日、（Ｃ）対象部１を担当する部署名、（Ｄ）点検者名、（Ｅ）是正結果を報告すべき期限、（Ｇ）是正日、（Ｈ）報告日、（Ｍ）是正後映像データＶ２０の撮影日を含む。
【００７２】
この構成により、適切な是正後情報を報告書１２に記録することが可能となる。それにより、（Ａ）指導事項に対する（Ｆ）是正事項の内容を容易に把握することが可能となる。また、例えば（Ｂ）点検日、（Ｃ）対象部１を担当する部署名、（Ｄ）点検者名、（Ｅ）是正結果を報告すべき期限、（Ｇ）是正日、（Ｈ）報告日、（Ｍ）是正後映像データＶ２０の撮影日のいずれかを用いて、帳票１０（報告書１２）のデータをソートして管理することが可能になる。なお、本実施形態では、（Ｍ）是正後映像データＶ２０の撮影日を写真台紙１３に記録するものとしたが、（Ｍ）是正後映像データＶ２０の撮影日も報告書１２に記録してもよい。また、是正後情報（Ｂ）〜（Ｅ）、（Ｇ）、（Ｈ）、（Ｍ）は、少なくとも一つが報告書１２に記録されればよい。
【００７３】
また、是正前情報と是正後情報とで共通する情報は、（Ａ）指導事項、（Ｂ）点検日、（Ｃ）対象部１を担当する部署名、（Ｄ）点検者名、（Ｅ）是正結果を報告すべき期限を含む。
【００７４】
この構成により、是正前情報と是正後情報とで適切な情報を共通とすることができる。すなわち、（Ａ）指導事項、（Ｂ）点検日、（Ｃ）対象部１を担当する部署名、（Ｄ）点検者名、（Ｅ）是正結果を報告すべき期限は、帳票１０のデータをソートして管理したり、担当を把握したり、指導事項に対する是正事項の内容を把握したりする上で、重要な項目であるため、指導書１１および報告書１２の双方に記載しておくことが好ましい。なお、（Ａ）〜（Ｅ）は、少なくとも一つが是正前情報と是正後情報とで共通する情報であればよい。また、是正前情報と是正後情報とは、他の情報を共通としてもよい。
【００７５】
また、是正前情報の一部（是正前情報（Ａ）、（Ｃ）、（Ｉ）〜（Ｌ））は、携帯情報端末１１０により、是正前映像データＶ１０と共に写真台紙１３に記録される。
【００７６】
この構成により、是正前映像データＶ１０に是正前情報の一部（是正前情報（Ａ）、（Ｃ）、（Ｉ）〜（Ｌ））が添付されるため、是正前の対象部１に関する情報をわかりやすくユーザーに提示することができる。なお、是正前情報（Ａ）、（Ｃ）、（Ｉ）〜（Ｌ）は、さらにその一部のみが写真台紙１３に記録されてもよいし、写真台紙１３に記録されなくてもよい。また、他の是正前情報を写真台紙１３に記録してもよい。
【００７７】
また、是正後情報の一部（是正前情報（Ｃ）、（Ｆ）、（Ｍ））は、携帯情報端末１１０により、是正後映像データＶ２０と共に写真台紙１３に記録される。
【００７８】
この構成により、是正後映像データに是正後情報の一部（是正後情報（Ｃ）、（Ｆ）、（Ｍ））が添付されるため、是正後の対象部１に関する情報をわかりやすくユーザーに提示することができる。なお、是正後情報（Ｃ）、（Ｆ）、（Ｍ）は、さらにその一部のみが写真台紙１３に記録されてもよいし、写真台紙１３に記録されなくてもよい。また、他の是正後情報を写真台紙１３に記録してもよい。
【００７９】
また、是正前映像データＶ１０および是正後映像データＶ２０は、静止画または動画である。
【００８０】
この構成により、是正前映像データＶ１０および是正後映像データＶ２０が動画であってもよいため、１つの動画による映像データＶ１０、Ｖ２０によって、対象部１に関する情報を多く含ませることができる。さらに、連続的に状況が変化しうる現場において、対象部１の状況を適切に捉えることが可能となる。その結果、対象部１に対する指導事項や是正事項をユーザーにわかりやすく提示することが可能となる。
【００８１】
また、是正前情報は、対象部１の是正を行う必要のない軽微な指導事項を含み、是正後映像データ取得ステップ（ステップＳ６）および第２の帳票作成ステップ（ステップＳ７）は、軽微な指導事項に対しては実行されない。
【００８２】
この構成により、軽微な指導事項に対して是正後映像データＶ２０や報告書１２を作成しないため、作業の簡易化を図ることができる。
【００８３】
図９は、実施形態にかかる帳票作成システムの他の例を示すブロック図である。図９に示す帳票作成システム２００は、図１に示す帳票作成システム１００に加えて、ウェアラブルカメラ２１０を備えている。ウェアラブルカメラ２１０は、例えば作業者の着衣やヘルメット等に装着可能なデジタルカメラである。ウェアラブルカメラ２１０は、携帯情報端末１１０に有線または無線により接続され、データのやり取りを行うことができる。ウェアラブルカメラ２１０は、対象部１を撮影した静止画または動画の是正前映像データＶ１０および是正後映像データＶ２０を携帯情報端末１１０に出力する。このように、是正前映像データＶ１０および是正後映像データＶ２０を撮影するための撮影装置は、携帯情報端末１１０に搭載されるものでなくてもよい。この場合、図９に示すように、携帯情報端末１１０は、撮影装置１１０Ａを備えるものでなくてもよい。
【００８４】
また、帳票作成システム２００は、図９に示すように、ウェアラブルカメラ２１０と通信し、ウェアラブルカメラ２１０で撮影されている映像を表示する携帯型モニタ２２０を備えることが好ましい。携帯型モニタ２２０は、例えば作業者が腕に装着可能な携帯型の表示装置である。このように、ウェアラブルカメラ２１０で撮影されている映像を携帯型モニタ２２０で確認しながら作業を行うことで、ウェアラブルカメラ２１０自体が表示部を有さない場合でも、対象部１の是正前映像データＶ１０および是正後映像データＶ２０を撮影することが可能となる。
【００８５】
本実施形態では、帳票１０の指導書１１、報告書１２、写真台紙１３および捕捉写真台紙１４、１５が、１つのデータファイルに格納されることで、互いに紐付けされるものとした。ただし、指導書１１、報告書１２、写真台紙１３および捕捉写真台紙１４、１５は、互いに紐付けされるものであれば、１つのデータファイルに格納されなくてもよい。例えば、指導書１１および報告書１２に記載された（Ｎ）ナンバリングを、指導書１１、報告書１２、写真台紙１３および捕捉写真台紙１４、１５のすべてに記録しておき、このナンバリングを携帯情報端末１１０やパーソナルコンピュータ１２０が読み込むことで、互いの紐付けを確認するものであってもよい。また、例えば、指導書１１、報告書１２、写真台紙１３および捕捉写真台紙１４、１５を、関連するデータファイル名で保存しておき、このデータファイル名を携帯情報端末１１０やパーソナルコンピュータ１２０が読み込むことで、互いの紐付けを確認するものであってもよい。
【００８６】
また、本実施形態では、指導書１１に入力された是正前情報を写真台紙１３に自動的に反映させるものとしたが、例えば写真台紙１３に是正前情報を先に入力し、指導書１１に自動的に反映させてもよい。また、報告書１２に入力された是正後情報を写真台紙１３に自動的に反映させるものとしたが、例えば写真台紙１３に是正後情報を先に入力し、報告書１２に自動的に反映させてもよい。
【００８７】
また、本実施形態では、是正後の対象部１の撮影（ステップＳ６）を作業者が行うものとした。ただし、例えば自動で移動可能なロボットにデジタルカメラを搭載、または、携帯情報端末１１０を接続し、ロボットが自動で対象部１まで移動して、是正後映像データＶ２０を撮影するものとしてもよい。この場合、帳票１０（指導書１１または写真台紙１３）に、対象部１の位置情報を記録しておき、ロボットが位置情報に基づいて対象部１まで移動するものとすればよい。
【００８８】
また、指導書１１が作成された後（ステップＳ４の後）、指導書１１に記録された指導事項に対して、是正が一定期間行われなかった場合（例えば（Ｅ）是正結果を報告すべき期限を超過した場合等）には、その旨を携帯情報端末１１０またはパーソナルコンピュータ１２０がユーザーに報知するようにしてもよい。
【００８９】
また、本実施形態では、是正すべき指導事項がある対象部１について、映像データを撮影し、写真台紙１３に記録するものとしたが、対象部１の好適な事例（是正の必要がなく、是正すべき事例に対して参考となるような好適な事例）について映像データを撮影し、帳票１０（写真台紙１３）に記録しておいてもよい。それにより、指導事項がある対象部１について、類似かつ好適な事例の映像データを参考にしながら、是正内容を検討したり実際の是正を行ったりすることができる。例えば、是正前情報に含まれる（Ｃ）対象部１を担当する部署名、（Ｊ）対象部１に関する作業の種類を、好適な事例についても記録しておけば、指導事項がある対象部１について類似かつ好適な事例を比較的に容易に抽出することが可能となる。
【符号の説明】
【００９０】
１  対象部
１０  帳票
１１  指導書
１１Ａ、１１Ｂ、１２Ａ、１３Ａ、１３Ｂ  表
１２  報告書
１３  写真台紙
１４、１５  捕捉写真台紙
１００、２００  帳票作成システム
１１０  携帯情報端末
１１０Ａ  撮影装置
１１０Ｂ  帳票編集・閲覧部
１１０Ｃ  通信部
１１０Ｄ  記憶部
１２０  パーソナルコンピュータ
１２０Ａ  通信部
１２０Ｂ  記憶部
１２０Ｃ  帳票編集・閲覧部
１３０  データサーバー
１４０  プリンター
２１０  ウェアラブルカメラ
２２０  携帯型モニタ
Ｖ１０、Ｖ１１、Ｖ１２、Ｖ１３  是正前映像データ
Ｖ２０、Ｖ２１、Ｖ２２、Ｖ２３  是正後映像データ
【図１】
2020095399.tif 000003
【図２】
2020095399.tif 000004
【図３】
2020095399.tif 000005
【図４】
2020095399.tif 000006
【図５】
2020095399.tif 000007
【図６】
2020095399.tif 000008
【図７】
2020095399.tif 000009
【図８】
2020095399.tif 000010
【図９】
2020095399.tif 000011